(57)【要約】【課題】撮像素子へ入射する像光の範囲が小さくなる、いわゆるケラレが生じるおそれがある。【解決手段】ミラーユニットであって、板状のミラー本体を有し、被写体からの入射光を反射する反射位置と、入射光の光路から退避する退避位置との間で回動する第１ミラーと、ミラー本体の裏面側に軸支され、第１ミラーが反射位置にある場合に入射光を反射するとともに、第１ミラーが退避位置にある場合に第１ミラーの回動につれて回動して入射光の光路から退避する第２ミラーとを備え、第１ミラーのミラー本体の裏面に、第２ミラーが退避する場合に第２ミラーの少なくとも一部を収容する凹部を有する。【選択図】図８
2013125107.tif 000002
【特許請求の範囲】
【請求項１】
板状のミラー本体を有し、被写体からの入射光を反射する反射位置と、入射光の光路から退避する退避位置との間で回動する第１ミラーと、
前記ミラー本体の裏面側に軸支され、前記第１ミラーが反射位置にある場合に入射光を反射するとともに、前記第１ミラーが退避位置にある場合に前記第１ミラーの回動につれて回動して入射光の光路から退避する第２ミラーとを備え、
前記第１ミラーの前記ミラー本体の前記裏面に、前記第２ミラーが退避する場合に前記第２ミラーの少なくとも一部を収容する凹部を有するミラーユニット。
【請求項２】
前記ミラー本体は、表面が平坦であるとともに、前記裏面には複数のリブを有し、前記複数のリブにより前記凹部が形成されている請求項１に記載のミラーユニット。
【請求項３】
前記ミラー本体は、周辺部を除き前記裏面の全体が一様に窪むことにより前記凹部が形成される請求項１に記載のミラーユニット。
【請求項４】
前記第２ミラーは軸部を有し、
前記凹部は、前記軸部を収容する請求項１から３のいずれか１項に記載のミラーユニット。
【請求項５】
前記凹部は、前記第２ミラーにおける回動の先端部を収容する請求項１から４のいずれか１項に記載のミラーユニット。
【請求項６】
前記ミラー本体は、前記裏面の少なくとも一部の領域が粗面加工されている請求項１から５のいずれか１項に記載のミラーユニット。
【請求項７】
前記ミラー本体は、ガラスにより一体的に形成されている請求項１から６のいずれか１項に記載のミラーユニット。
【請求項８】
請求項１から７のいずれか１項に記載のミラーユニットを備えた撮像装置。
【発明の詳細な説明】
【技術分野】
【０００１】
本発明は、ミラーユニットおよび撮像装置に関する。
【背景技術】
【０００２】
一眼レフカメラにおいてはファインダへ光を導くメインミラーと、当該メインミラーの後方に配置され測距センサに光を導くメインミラーとが、反射位置と退避位置との間を回動する。退避位置にある場合に、メインミラーとサブミラーとの隙間から不要な逆入射光が入るのを防ぐべく、遮断光用の突起を設けたものがある（例えば、特許文献１を参照）。
特許文献１  特開平７−４９５３０号公報
【発明の概要】
【発明が解決しようとする課題】
【０００３】
しかしながら、遮断光用の突起を設けることにより退避位置において突起が撮像素子への入射光をけることになり、撮像素子へ入射する像光の範囲が小さくなる、いわゆるケラレが生じるおそれがある。
【課題を解決するための手段】
【０００４】
本発明の第１の態様においては、ミラーユニットであって、板状のミラー本体を有し、被写体からの入射光を反射する反射位置と、入射光の光路から退避する退避位置との間で回動する第１ミラーと、ミラー本体の裏面側に軸支され、第１ミラーが反射位置にある場合に入射光を反射するとともに、第１ミラーが退避位置にある場合に第１ミラーの回動につれて回動して入射光の光路から退避する第２ミラーとを備え、第１ミラーのミラー本体の裏面に、第２ミラーが退避する場合に第２ミラーの少なくとも一部を収容する凹部を有する。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】本実施形態に係る一眼レフカメラ１０の概略断面図である。
【図２】図１からミラーがアップした状態を示す概略断面図である。
【図３】ミラーユニット４０が反射位置にある状態をレバー２７６側の上方から見た斜視図である。
【図４】ミラーユニット４０が反射位置にある状態をレバー２７６の反対側の上方から見た斜視図である。
【図５】ミラーユニット４０が反射位置にある状態の断面図である。
【図６】ミラーユニット４０が退避位置にある状態をレバー２７６側の上方から見た斜視図である。
【図７】ミラーユニット４０が退避位置にある状態をレバー２７６の反対側の上方から見た斜視図である。
【図８】ミラーユニット４０が退避位置にある状態の断面図である。
【図９】ミラー本体１１０の別例を示す、裏面１３０からみた斜視図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、本実施形態に係る一眼レフカメラ１０の概略断面図であり、図２は、図１からミラーがアップした状態を示す概略断面図である。一眼レフカメラ１０は、レンズユニット２０およびカメラボディ３０を備える。
【０００９】
なお、以降の記載では、一眼レフカメラ１０において、カメラボディ３０に対してレンズユニット２０が装着されている側を「前」と記載する。また、カメラボディ３０においてレンズユニット２０が装着されている側の反対側を「後」と記載する。
【００１０】
レンズユニット２０は、カメラボディ３０に対して着脱自在である。レンズユニット２０は、複数のレンズを含む光学系２２を有する。レンズユニット２０はさらに、光学系２２の少なくともいずれかのレンズを駆動する駆動部２４を有し、当該レンズを光軸に沿って移動させる。これにより、光学系２２の焦点距離および焦点位置が変化する。なお駆動部２４の一部がカメラボディ３０側に配されていてもよい。
【００１１】
カメラボディ３０は、レンズユニット２０の後方にミラーユニット４０を備える。ミラーユニット４０には、光学系２２を通じて像光１６０が入射する。
【００１２】
ミラーユニット４０は、メインミラー１００およびサブミラー２００を有する。図１に示す状態において、メインミラー１００は、光学系２２から入射した像光１６０を斜めに横切る反射位置に停止している。図２に示す状態においてメインミラー１００が上昇し、それに連れられてサブミラー２００が上昇すると、メインミラー１００およびサブミラー２００は略水平になり、像光１６０の光路から退避した退避位置に停止する。
【００１３】
カメラボディ３０は、ミラーユニット４０の上方に配されるペンタプリズム４２、ペンタプリズム４２の後方に配された接眼レンズ４４、および、接眼レンズ４４の後方に配されたファインダ４６を有する。ファインダ４６は、カメラボディ３０の背面に露出する。
【００１４】
メインミラー１００が反射位置にある場合、光学系２２を通じて入射した像光１６０の大部分はメインミラー１００に反射される。この反射光１６２はペンタプリズム４２に導かれ、接眼レンズ４４を通じてファインダ４６から観察される。ペンタプリズム４２を通してファインダ４６から観察される像は、正立正像として観察される。これにより、一眼レフカメラ１０のユーザは、一眼レフカメラ１０による撮影範囲を決定できる。
【００１５】
また、ペンタプリズム４２に導かれた反射光１６２の一部は、接眼レンズ４４の近傍に配された反射部材４８により光路を曲げられて測光センサ５０に入射する。測光センサ５０は、受光した光束から被写体輝度を検出してカメラボディ３０の制御部に参照させる。これにより、制御部は、撮影する場合の露出条件を算出する。
【００１６】
更に、メインミラー１００は、像光１６０の一部を透過するハーフミラー領域を有する。よって、退避位置にあるメインミラー１００に入射した入射光束の一部は、ハーフミラー領域を透過する。この透過光２６０はサブミラー２００により斜め下方向へ反射される。この反射光２６２は、反射部材５６に入射する。反射部材５６の後方にはセパレータレンズ５８が配され、当該セパレータレンズ５８は反射部材５６で反射された反射光を分割して測距センサ６０に導く。測距センサ６０の出力に基づいて、制御部は、光学系２２を合焦させる場合に移動する駆動部２４の駆動量を決定する。ミラーユニット４０については他の図面を参照してさらに後述する。
【００１７】
カメラボディ３０は、ミラーユニット４０の後方に配された、シャッタ５２、撮像素子５４、ディスプレイ６２を有する。撮像素子５４は、複数の光電変換素子が二次元的に配されたＣＣＤ、ＣＭＯＳ等が用いられる。ディスプレイ６２は例えば液晶表示板により形成され、その表示面がカメラボディ３０の背面に露出する。
【００１８】
上記のような一眼レフカメラ１０においてレリーズボタンが半押しされると、図１に示すようにメインミラー１００およびサブミラー２００は反射位置にあり、測距センサ６０および測光センサ５０に像光１６０の一部が入射して被写体像を適切な撮影条件で撮影できる状態になる。次いで、レリーズボタンが全押しされると、図２に示すようにメインミラー１００およびサブミラー２００が退避位置に移動して、シャッタ５２が開く。これにより、光学系２２から入射した像光１６０は、撮像素子５４に撮影される。さらに撮影された画像がディスプレイ６２に表示される。
【００１９】
図３は、ミラーユニット４０が反射位置にある状態をレバー２７６側の上方から見た斜視図であり、図４はレバー２７６の反対側の上方から見た斜視図であり、図５は断面図である。
【００２０】
ミラーユニット４０は、メインミラー１００とサブミラー２００とを有する。メインミラー１００は、板状のミラー本体１１０と、当該ミラー本体１１０を保持する枠状のミラー保持枠１４０と、ミラー保持枠１４０から水平方向に突出する回動軸１４２とを有する。
【００２１】
ミラー本体１１０は可視光に対して透明な材料、例えばガラスにより形成される。また、ミラー本体１１０の表面１２０側、すなわち像光１６０の入射側は一様な平坦面であって、多層膜等により入射光の一部を反射して他の部分を透過するハーフミラーが形成されている。
【００２２】
ミラー保持枠１４０は中央が貫通した四辺形を有しており、ミラー本体１１０の表面１２０側に立ち上がった一対の壁が設けられている。ミラー保持枠１４０は、例えば黒色の樹脂により形成され、ミラー本体１１０を接着固定する。当該ミラー保持枠１４０は、回動軸１４２によりカメラボディ３０の内部に回動可能に支持される。図５に示すように、メインミラー１００のミラー保持枠１４０の裏面側にはサブミラー受け部１５０が配される。
【００２３】
ミラー保持枠１４０の一方の側面からは駆動ピン２７０が突出して設けられる。駆動ピン２７０にはミラー駆動レバー２７６に支持されたダウンバネ１４８の一端が当接しており、当該ダウンバネ１４８により駆動ピン２７０が下方に付勢される。これにより、メインミラー１００は反射位置に付勢される。ここで、カメラボディ３０側から水平にメインミラー受けピン２７２が突出しており、ミラー保持枠１４０の先端下方が当該メインミラー受けピン２７２に当接することにより、反射位置におけるメインミラー１００が位置決めされる。
【００２４】
サブミラー２００は、板状のミラー本体２１０と、当該ミラー本体２１０を保持するミラー保持枠２４０と、ミラー保持枠２４０に連結された回動軸２４２、当接部２４４および転向カム２５０とを有する。サブミラー２００は回動軸２４２によりメインミラー１００に回動可能に支持される。
【００２５】
ミラー本体２１０は表裏ともに一様な平坦なガラスにより形成され、表面側にＡｌ等により反射面が形成されている。ミラー保持枠２４０例えば金属板金により形成され、ミラー本体２１０を接着固定する。
【００２６】
メインミラー１００のミラー保持枠１４０にはトグルバネ１４６が設けられており、当該トグルバネ１４６の一端がサブミラー２００の当接部２４４に当接している。トグルバネ１４６により、メインミラー１００に対するサブミラー２００の角度が中立点よりいずれの側にあるかによって、サブミラー２００がいずれかの回動方向に付勢される。例えば、図４に示すようにメインミラー１００にサブミラー２００が開いている状態において、トグルバネ１４６はサブミラー２００をメインミラー１００に対してより開く方向に付勢する。
【００２７】
ここで図３に示すように、カメラボディ３０側から水平にサブミラー受けピン２７４が突出している。よって、ミラー保持枠２４０の先端下方が当該サブミラー受けピン２７４に当接することにより、反射位置におけるサブミラー２００が位置決めされる。
【００２８】
図４に示すように、転向カム２５０の内周カム面にはカメラボディ３０から水平に突出した転向ピン２７８が挿入される。メインミラー１００が図４に示す反射位置にある場合に転向ピン２７８は転向カム２５０とは接触しない位置にある。
【００２９】
図５に示すように、本実施形態においては、さらにミラー本体１１０の裏面１３０側に、当該裏面１３０から窪んだ軸収容部１３２および本体収容部１３４を有する。軸収容部１３２は図５に示す断面図において円弧状の溝であって、図４に示すように水平に延びており、回動軸２４２の一部を収容する。また、本体収容部１３４は図５に示す断面図において先端ほど窪みが深く、図４に示すように正面から見た場合に矩形を有する。矩形の大きさは、サブミラー２００のミラー本体２１０と略同一かそれより一回り大きい。当該ミラー本体１１０は、例えばガラスのコンプレッション成型により、裏面１３０側に軸収容部１３２および本体収容部１３４を設けつつ表面１２０側を一様な平坦面に成型される。なお、ミラー本体１１０の裏面１３０において、本体収容部１３４以外の領域は黒色に塗られていることが好ましい。
【００３０】
図６は、ミラーユニット４０が退避位置にある状態をレバー２７６側の上方から見た斜視図であり、図７はレバー２７６の反対側の上方から見た斜視図であり、図８は断面図である。
【００３１】
上記図３から図５に示す反射位置から、レリーズの全押しに対応してカメラボディ３０に設けられたレバー２７６が図６の矢印方向に回動する。これによりレバー２７６が駆動ピン２７０を押し上げ、メインミラー１００が図中の上方に回動する。メインミラー１００の先端がカメラボディ３０に設けられたスポンジ等から形成されるメインミラー受け部２８０に当接することにより、退避位置においてメインミラー１００が位置決めされる。
【００３２】
メインミラー１００が回動するにつれて転向カム２５０が上昇し、転向カム２５０の内周カム面が転向ピン２７８に当接する。さらに転向カム２５０が上昇するのに伴って、転向カム２５０が転向ピン２７８に押し下げられて、トグルバネ１４６の付勢力に抗してミラー保持枠２４０が回動軸２４２の周りに回動して押し上げられる。
【００３３】
さらに転向ピン２７８によってミラー保持枠２４０が押し上げられ、トグルバネ１４６の中立点を越えると、当該トグルバネ１４６は、当接部２４４を介してメインミラー１００に向けて閉じる方向にサブミラー２００を付勢する。図８に示すように、ミラー保持枠２４０の先端がサブミラー受け部１５０に当接することにより、退避位置においてサブミラー２００が位置決めされる。この場合に、ミラー保持枠２４０の先端とサブミラー受け部１５０とが互いに平行な面で当接し合うことが好ましい。
【００３４】
図８に示すように、退避位置においてメインミラー１００の本体収容部１３４にサブミラー２００のミラー本体２１０の一部が収容される。特に、本体収容部１３４において先端ほど窪みが深いことに対応して、ミラー本体２１０の先端部２４６がより深く本体収容部１３４に収容されている。
【００３５】
以上、図１から図８に示す実施形態によれば、軸収容部１３２により回動軸２４２の一部を収容しているので、サブミラー２００全体をよりメインミラー１００に近づけることができる。よって軸収容部１３２がない場合における図５に一点鎖線で示した像光に比べて、同図に破線で示した、より上からの像光を測距センサ６０に入射させることができ、被写体における測距のポイントを縦方向に広げることができる。
【００３６】
また、本体収容部１３４によりミラー本体２１０の一部を収容しているので、退避位置においてサブミラー２００全体をよりメインミラー１００に近づけることができる。よって本体収容部１３４がない場合における図８に一点鎖線で示した像光に比べて、同図に破線で示した、より上からの像光を撮像素子５４に入射させることができ、不要な逆入射光が入るのを防ぎつつ、撮像素子５４へのいわゆるケラレを低減し、より広い範囲の像光を撮像することができる。特に上級機種においては撮像素子５４が大きいので、より広い範囲の像光を当該撮像素子５４に導くことができる上記構成は効果が大きい。
【００３７】
さらに、ミラー本体１１０は軸収容部１３２および本体収容部１３４の窪みを有するので、ミラー本体１１０が軽量化され、ミラーユニット４０の回動動作をより早くすることができる。特に上級機種においては時間当たりの連写枚数が多く、ミラーユニット４０がより早く回動することが求められるので、上記構成は効果が大きい。
【００３８】
図９は、ミラー本体１１０の別例を示す、裏面１３０からみた斜視図である。図９のミラー本体１１０は、裏面１３０に複数のリブ１３６を有する。図９に示す例において、縦横にそれぞれ２本ずつのリブ１３６を有し、これにより４本のリブ１３６で囲まれた本体収容部１３４が形成されるとともに、本体収容部１３４の周囲にリブ１３６を介して複数の他の窪んだ領域１３８が形成される。これらの領域１３８は粗面加工されていてもよい。さらに粗面加工された面が黒色に塗られてもよい。なお、ミラー本体１１０の表面１２０は一様な平坦面であって、図３から図８の実施例と同様の構成を有する。粗面加工を含め、図９のミラー本体１１０もガラスのコンプレッション成型により形成される。
【００３９】
図３から図８のようにサブミラー２００のミラー本体２１０の形状に対応した部分に窪みを設けたり、複数のリブ１３６で窪みを設けることに代えて、メインミラー１００のミラー本体１１０の裏面１３０側が周辺部を除き一様に窪んでいてもよい。
【００４０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４１】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００４２】
１０  一眼レフカメラ、２０  レンズユニット、２２  光学系、２４  駆動部、３０  カメラボディ、４０  ミラーユニット、４２  ペンタプリズム、４４  接眼レンズ、４６  ファインダ、４８  反射部材、５０  測光センサ、５２  シャッタ、５４  撮像素子、５６  反射部材、５８  セパレータレンズ、６０  測距センサ、６２  ディスプレイ、１００  メインミラー、１１０  ミラー本体、１２０  表面、１３０  裏面、１３２  軸収容部、１３４  本体収容部、１３６  リブ、１３８  領域、１４０  ミラー保持枠、１４２  回動軸、１４６  トグルバネ、１４８  ダウンバネ、１５０  サブミラー受け部、１６０  像光、１６２  反射光、２００  サブミラー、２１０  ミラー本体、２４０  ミラー保持枠、２４２  回動軸、２４６  先端部、２５０  転向カム、２６０  透過光、２６２  反射光、２７０  駆動ピン、２７２  メインミラー受けピン、２７４  サブミラー受けピン、２７６  レバー、２７８  転向ピン、２８０  メインミラー受け部
【図１】
2013125107.tif 000003
【図２】
2013125107.tif 000004
【図３】
2013125107.tif 000005
【図４】
2013125107.tif 000006
【図５】
2013125107.tif 000007
【図６】
2013125107.tif 000008
【図７】
2013125107.tif 000009
【図８】
2013125107.tif 000010
【図９】
2013125107.tif 000011